(57)【要約】【課題】特殊文書として登録された所定の文書については、文字情報が明瞭に読み取れる複製物を生成することができる画像処理装置を提供する。【解決手段】所定のフォーマットに文字情報が記載される定型文書を特殊文書とし、特殊文書を識別するための特殊文書識別情報を記憶する。原稿判定部が、特殊文書識別情報として保持された文書色分布情報（特殊文書のサンプル領域に係る色分布情報）と、原稿色分布情報（原稿中、特殊文書のサンプル領域に相当する領域の色分布情報）とを比較して、両者が一致する場合、原稿は特殊原稿であると判断する。原稿が特殊文書に該当する場合には、当該原稿を読み取って取得した画像データをモノクロ画像データに変換した上で、記録紙上に記録する。【選択図】図２
2008278282.tif 000002
【特許請求の範囲】
【請求項１】
所定のフォーマットに文字情報が記載される定型文書を特殊文書とし、前記特殊文書を識別するためのカラー画像要素の識別情報を記憶する特殊文書識別情報記憶手段と、
前記識別情報に基づいて、原稿が前記特殊文書に該当するか否かを判定する判定手段と、
原稿が前記特殊文書に該当する場合に、当該原稿を読み取って取得した画像データをモノクロ画像データに変換する画像データ変換手段と、
前記モノクロ画像データを出力する出力手段と、
を備えることを特徴とする画像処理装置。
【請求項２】
請求項１に記載の画像処理装置であって、
前記識別情報が、前記定型文書中の所定のサンプル領域の色分布情報であることを特徴とする画像処理装置。
【請求項３】
請求項２に記載の画像処理装置であって、
前記特殊文書として登録すべき前記定型文書を読み取って、当該定型文書中の所定のサンプル領域の色分布情報を取得する特殊文書識別情報取得手段、
を備えることを特徴とする画像処理装置。
【請求項４】
請求項３に記載の画像処理装置であって、
前記特殊文書識別情報取得手段が、
前記定型文書中のいずれの領域を前記サンプル領域とするかを、ユーザからの指示に応じて決定するサンプル領域決定手段、
を備えることを特徴とする画像処理装置。
【請求項５】
請求項１から４のいずれかに記載の画像処理装置であって、
原稿が前記特殊文書に該当する場合に、当該原稿を読み取って取得された画像データに含まれる所定の色を記録しない色に変換する色とばし手段、
を備えることを特徴とする画像処理装置。
【請求項６】
請求項５に記載の画像処理装置であって、
前記色とばし手段が、
前記記録しない色に変換するべき色を、ユーザからの指示に応じて決定するとばし色決定手段、
を備えることを特徴とする画像処理装置。
【請求項７】
請求項６に記載の画像処理装置であって、
前記とばし色決定手段が、
前記特殊文書として登録すべき前記定型文書中のいずれかの領域をとばし色領域とする指定を、ユーザから受け付けるとばし色領域指定受付手段と、
前記定型文書を読み取って当該定型文書中の前記とばし色領域の色情報を取得し、当該取得した色情報を前記記録しない色に変換するべき色の色情報とする色情報取得手段と、
を備えることを特徴とする画像処理装置。
【請求項８】
請求項６に記載の画像処理装置であって、
前記とばし色決定手段が、
前記特殊文書として登録すべき前記定型文書中のいずれかの領域をとばし色領域とする指定を、ユーザから受け付けるとばし色領域指定受付手段、
を備え、
前記色とばし手段が、
原稿が前記特殊文書に該当する場合に、当該原稿を読み取って当該原稿中の前記とばし色領域の色情報を取得し、当該取得した色情報を前記記録しない色に変換するべき色の色情報とする色情報取得手段、
を備えることを特徴とする画像処理装置。
【請求項９】
請求項５から８のいずれかに記載の画像処理装置であって、
前記所定の色が、地紋の色であることを特徴とする画像処理装置。
【請求項１０】
請求項１から９のいずれかに記載の画像処理装置であって、
原稿が特殊文書に該当する場合に、当該原稿を読み取って取得された画像データに含まれる所定の色を黒色に変換する黒補正手段、
を備えることを特徴とする画像処理装置。
【発明の詳細な説明】
【技術分野】
【０００１】
この発明は、原稿の種類に応じて処理モードを切り換えることによって、原稿の種類に応じた適切な処理を実行する機能を備える画像処理装置に関する。
【背景技術】
【０００２】
ファクシミリ装置、複写機、プリンタのように、原稿を読み取って画像データを取得し、紙などの媒体上に再現する処理を行う画像処理装置においては、画像処理技術の発展に伴い、原稿の色等を精細に再現することが可能となってきている。その弊害として、証書、証明書等の機密データが記載された文書の複製物が、原本として偽装されるといった事態が生じている。
【０００３】
このような不正な目的をもって複製物が取得されることを抑止すべく、証書等の用紙上に地紋を付加する技術がある。地紋が付加された証書の場合、それを複写すると複製物に所定の潜像が浮かび上がり、オリジナルの原稿と全く同じものを複製することができない。これによって不正コピーの抑止効果が得られる。例えば特許文献１には、地紋の潜像を明確に顕在化させる技術が開示されている。
【０００４】
【特許文献１】特開２００６−２９５８５７号公報
【発明の開示】
【発明が解決しようとする課題】
【０００５】
上述の通り、地紋が付加されると、オリジナルの原稿と同じ複製物を得ることができないため、複製物が原本として偽装されることが防止される。しかしながら、複製物は、必ずしも原本として偽装させる目的をもって生成されるとは限らない。例えば、証書や証明書等において、所定のフォーマットの中に記載されている文字情報を取得する目的で複製物が生成される場合もある。
【０００６】
すなわち、原稿の中には、ユーザが原稿と同一の複製物を得る目的をもって複製物を得ようとする通常の文書の他に、特殊な目的（すなわち、原稿内の文字情報を明確に取得したいという目的）をもって複製物を得ようとする特殊な文書が存在する。
【０００７】
ところが、従来の技術によると、このような特殊な文書であっても、原稿と同一の複製物を生成するような通常の処理が実行される。その結果、例えば原稿に地紋が付加されている場合には複製物に潜像が顕在化してしまい、原稿上の文字情報が複製物において読み取りにくくなってしまっていた。
【０００８】
この発明は、このような事情に鑑みてなされたものであって、ユーザが特殊な目的（すなわち、文字情報を明瞭に読み取れる複製物を取得したいという目的）をもって複製物を得ようとする特殊な原稿については、当該目的に応じた複製物を生成することができる画像処理装置を提供することを目的としている。
【０００９】
すなわち、特殊文書として登録された所定の文書については、文字情報が明瞭に読み取れる複製物を生成することができる画像処理装置を提供することを目的としている。
【課題を解決するための手段】
【００１０】
請求項１の発明は、所定のフォーマットに文字情報が記載される定型文書を特殊文書とし、前記特殊文書を識別するためのカラー画像要素の識別情報を記憶する特殊文書識別情報記憶手段と、前記識別情報に基づいて、原稿が前記特殊文書に該当するか否かを判定する判定手段と、原稿が前記特殊文書に該当する場合に、当該原稿を読み取って取得した画像データをモノクロ画像データに変換する画像データ変換手段と、前記モノクロ画像データを出力する出力手段と、を備える。
【００１１】
請求項２の発明は、請求項１に記載の画像処理装置であって、前記識別情報が、前記定型文書中の所定のサンプル領域の色分布情報である。
【００１２】
請求項３の発明は、請求項２に記載の画像処理装置であって、前記特殊文書として登録すべき前記定型文書を読み取って、当該定型文書中の所定のサンプル領域の色分布情報を取得する特殊文書識別情報取得手段、を備える。
【００１３】
請求項４の発明は、請求項３に記載の画像処理装置であって、前記特殊文書識別情報取得手段が、前記定型文書中のいずれの領域を前記サンプル領域とするかを、ユーザからの指示に応じて決定するサンプル領域決定手段、を備える。
【００１４】
請求項５の発明は、請求項１から４のいずれかに記載の画像処理装置であって、原稿が前記特殊文書に該当する場合に、当該原稿を読み取って取得された画像データに含まれる所定の色を記録しない色に変換する色とばし手段、を備える。
【００１５】
請求項６の発明は、請求項５に記載の画像処理装置であって、前記色とばし手段が、前記記録しない色に変換するべき色を、ユーザからの指示に応じて決定するとばし色決定手段、を備える。
【００１６】
請求項７の発明は、請求項６に記載の画像処理装置であって、前記とばし色決定手段が、前記特殊文書として登録すべき前記定型文書中のいずれかの領域をとばし色領域とする指定を、ユーザから受け付けるとばし色領域指定受付手段と、前記定型文書を読み取って当該定型文書中の前記とばし色領域の色情報を取得し、当該取得した色情報を前記記録しない色に変換するべき色の色情報とする色情報取得手段と、を備える。
【００１７】
請求項８の発明は、請求項６に記載の画像処理装置であって、前記とばし色決定手段が、前記特殊文書として登録すべき前記定型文書中のいずれかの領域をとばし色領域とする指定を、ユーザから受け付けるとばし色領域指定受付手段、を備え、前記色とばし手段が、原稿が前記特殊文書に該当する場合に、当該原稿を読み取って当該原稿中の前記とばし色領域の色情報を取得し、当該取得した色情報を前記記録しない色に変換するべき色の色情報とする色情報取得手段、を備える。
【００１８】
請求項９の発明は、請求項５から８のいずれかに記載の画像処理装置であって、前記所定の色が、地紋の色である。
【００１９】
請求項１０の発明は、請求項１から９のいずれかに記載の画像処理装置であって、原稿が特殊文書に該当する場合に、当該原稿を読み取って取得された画像データに含まれる所定の色を黒色に変換する黒補正手段、を備える。
【発明の効果】
【００２０】
請求項１から１０に記載の発明によると、特殊文書として登録された文書に該当する原稿については、当該原稿を読み取って取得した画像データをモノクロ画像データに変換した上で出力するので、文字情報が明瞭に読み取れる複製物を生成することができる。すなわち、一般に原稿のモノクロ部分とカラー部分とは視覚上の刺激としては双方が人間に視認されるが、特殊文書であることを特徴づける画像要素（地紋など）は、文字部分の情報表示を阻害しないように濃度がかなり低い（明度が高い）カラーで表示されているという特徴がある。そして、モノクロ画像への変換するプロセスでは原稿の各部の濃度だけが反映されて色相差などの情報は消えるため、特殊文書の原稿の画像がモノクロ画像に変換されることによって、濃度が低い（つまり淡い）カラー部分は消去されるかまたは抑圧された状態となる。原稿の文字部分は、モノクロで表現されているかカラーで表現されているかにかかわらず、かなり濃度が高く形成されている。これらの結果、モノクロ画像への変換によって、文字部分が相対的に鮮明に表現された画像が得られる。
【００２１】
特に、請求項３に記載の発明によると、特殊文書として登録すべき定型文書を読み取って、当該定型文書の識別情報を取得する手段を備えるので、ユーザは、所望の文書を特殊文書として登録することができる。
【００２２】
特に、請求項４に記載の発明によると、定型文書のいずれの領域をサンプル領域とするかを、ユーザからの指示に応じて決定するので、ユーザは、特殊文書として登録する文書の所望の領域をサンプル領域とすることができる。
【００２３】
特に、請求項５に記載の発明によると、原稿が特殊文書に該当する場合には、当該原稿を読み取って取得された画像データに含まれる所定の色を記録しない色に変換するので、所定の色については複製物において再現されない。これによって、複製物において文字情報を明瞭に際だたせることができる。
【００２４】
特に、請求項６に記載の発明によると、記録しない色に変換するべき色を、ユーザからの指示に応じて決定するので、ユーザは、特殊文書として登録される定型文書に含まれる任意の色を、複製物において再現しない色として指定することができる。
【００２５】
特に、請求項８に記載の発明によると、原稿中のとばし色領域の色情報を、記録しない色に変換するべき色の色情報とするので、原稿間に濃度等のばらつきがあっても、ユーザの所望する正確な色を複製物において再現しない色とすることができる。
【００２６】
特に、請求項９に記載の発明によると、記録しない色に変換するべき色が地紋の色であるので、複製物において地紋が再現されない。すなわち、複製物において地紋が顕在化しない。したがって、原稿に地紋が付されていた場合であっても、文字情報が明瞭に読み取れる複製物を生成することができる。
【００２７】
特に、請求項１０に記載の発明によると、原稿が特殊文書に該当する場合には、当該原稿を読み取って取得された画像データに含まれる所定の色を黒色に変換するので、複製物で黒色を強調することができる。これによって、複製物において文字情報を明瞭に際だたせることができる。
【発明を実施するための最良の形態】
【００２８】
〈１．構成〉
〈１−１．デジタル複合機〉
この発明の第１の実施の形態に相当する画像処理装置の機能が組み込まれたデジタル複合機１の構成について図１を参照しながら説明する。図１は、この発明の第１の実施の形態に係るデジタル複合機１の構成を示すブロック図である。
【００２９】
デジタル複合機１は、ＦＡＸ機能、コピー機能、スキャン機能、プリント機能などの複数の機能を有する複合機（ＭＦＰ装置）として構成されている。デジタル複合機１は、制御部１１と、ＲＯＭ１２と、ＲＡＭ１３と、操作部１４と、表示部１５と、画像処理部１７と、画像読取部１６と、画像記録部１８と、入力画像メモリ１９と、出力画像メモリ２０と、大容量蓄積部２１と、通信関係の機能部２２〜２５とを、バスライン２６を介して電気的に接続した構成となっている。
【００３０】
制御部１１は、ＣＰＵで構成されている。制御部１１は、ＲＯＭ１２に記憶されたプログラムに基づいて上記のハードウエア各部を制御し、デジタル複合機１の機能を実現する。
【００３１】
ＲＯＭ１２は、デジタル複合機１の制御に必要なプログラムやデータを予め格納した読み出し専用の記憶装置である。
【００３２】
ＲＡＭ１３は、読み出しと書き込みとが可能な記憶装置であり、画像データ、ＦＡＸ番号、メールアドレスなどの一時的に蓄積される諸データや、制御部１１による演算処理の際に発生するデータなどを一時的に記憶する。ＲＡＭ１３はＳＲＡＭなどで構成される。
【００３３】
操作部１４は、文字キー、テンキー、ファンクションキーなどの各種キーによって構成され、コマンドやテキストデータの入力といったユーザ操作を受け付ける。操作部１４が受けたユーザ操作は信号として制御部１１に入力される。制御部１１はユーザ操作に基づいて各部の動作を制御する。
【００３４】
表示部１５は、デジタル複合機１の動作状態や、画像データなどを表示する表示装置であり、液晶ディスプレイなどの表示装置により構成される。なお、操作部１４に設けられる各種のキーは、この表示部１５のディスプレイ画面上に設けたタッチパネルによって実現されてもよい。
【００３５】
画像読取部１６は、原稿上の画像を読取素子（ＣＣＤラインセンサ１６１）によって読み取るスキャナーである。画像読取部１６が取得した画像データは、例えば、ＣＯＤＥＣ２１によりＪＰＥＧ方式にて圧縮され、入力画像メモリ１９に記憶される。なお、画像読取部１６は、ガラス台上に載置された原稿の表面を読取素子が走査して画像を読み取るタイプ（ＦＢＳ（Flat Bed Scanner）方式）のスキャナーであってもよく、原稿の載置台（図示省略）に載置された原稿を、ＡＤＦ（Auto Document Feeder）によって搬送し、搬送される原稿の表面を静止した読取素子によって走査して画像を読み取るタイプ（ＡＤＦ方式）のスキャナーであってもよい。また、ＡＤＦ方式には、移動する原稿を静止した読取光学系で読み取る方式（シートスルー方式）と、静止した原稿を移動する読取光学系で読み取る方式とがあるが、いずれの方式であってもよい。後者の方式を採用する場合、画像読取部１６は、原稿をガラス台上に搬送してガラス台上に原稿を静止させ、移動する読取光学系で静止した原稿を読み取り、読み取りが完了した原稿を排出するという読み取り手順を繰り返し実行する。
【００３６】
ＣＣＤラインセンサ１６１は、所定の走査速度（原稿と読取光学系との相対移動速度）で原稿を走査する読取光学系から導かれた光を受光して、一定の周期で読み取りを繰り返すことにより、ＲＧＢ色空間で表現された画像データ、すなわち、Ｒ（赤），Ｇ（緑），Ｂ（青）の色成分データを有する画像データ（ＲＧＢ画像データ）を生成する。なお、読取光学系の走査速度は、ＣＣＤラインセンサ１６１が生成する画像データの解像度（より具体的には、副走査方向の解像度）に基づいて設定する。すなわち、副走査方向の解像度が高くなるほど、読取光学系の走査速度を遅く設定し、副走査方向の解像度が低くなるほど、読取光学系の走査速度を速く設定する。
【００３７】
画像処理部１７は、受信された画像データや、画像読取部１６から取得した画像データに種々の画像処理を行う処理部である。例えば、Ａ／Ｄ変換、各種の補正処理（例えば、シェーディング補正やガンマ補正）、表色系の変換処理（例えば、行列変換によって、ＲＧＢ表色系の画像データをＹＣｂＣｒ表色系の画像データに変換する処理）、色調整、画像の合成などといった画像処理を行う。なお、画像処理部１７は、ＲＯＭ１２に格納されたプログラムによってソフトウェア的に実現されてもよい。
【００３８】
画像記録部１８は、出力画像メモリ２０に格納された画像データなどを記録紙上へ記録するプリンタである。画像記録部１８には、例えば、電子写真方式のプリンタを採用することができる。
【００３９】
入力画像メモリ１９は、ＬＡＮＩ／Ｆ２４やＮＣＵ２５を通じて外部装置２９，３２，３４から受信した画像データ、画像読取部１６において取得された画像データ、画像処理部１７において処理された画像データ等を、一時的に記憶するための記憶装置である。入力画像メモリ１９は、読み出しと書き込みとが可能なＤＲＡＭ等のメモリにより構成される。
【００４０】
出力画像メモリ２０は、出力に用いる画像データを記憶するための記憶装置である。ただしここでいう「出力」には、例えば、画像記録部１８によるプリント出力、通信回線を介して接続された外部端末に対する送信処理等が含まれる。出力画像メモリ２０は、読み出しと書き込みとが可能なＤＲＡＭ等のメモリにより構成される。
【００４１】
大容量蓄積部２１は、ハードディスクなどにより構成される。大容量蓄積部２１は、画像読取部１６により処理された画像データを蓄積することができる。
【００４２】
さらにこのデジタル複合機１には、通信関係の機能部として、画像データ等を複数のプロトコルに対応して符号化/復号化するコーデック（ＣＯＤＥＣ）２２と、送受信データの変調および復調を行うモデム２３と、ＬＡＮ（ローカルエリアネットワーク）２７とのインターフェイスに相当するＬＡＮＩ／Ｆ２４と、電話回線の開閉制御を行うＮＣＵ２５とが、バスライン２６を介して電気的に接続した構成となっている。
【００４３】
なお、ＣＯＤＥＣ２２による符号化としては、２値データを符号化する場合には、ＭＨ（Modified Huffman）、ＭＲ（Modified Read）、ＭＭＲ（Modified MR）、および、ＪＢＩＧ（Joint Bi-level Image experts Group）のいずれかの方式が採用される。なお、ＣＯＤＥＣ２２は、多値データの符号化も行う。多値データの符号化は、例えばＪＰＥＧ方式にて行う。
【００４４】
次に、このデジタル複合機１の通信環境について説明する。デジタル複合機１は、ＬＡＮ２７と接続されている。ＬＡＮ２７にはメールサーバ２８や外部端末２９などが接続されている。また、ＬＡＮ２７は、ルータ３０などを介してインターネット３１に接続されている。このような構成によって、デジタル複合機１は、ＬＡＮ２７を介して接続された外部端末２８や、インターネット３１を介して接続された外部端末３２と電子メール通信などを行うことができる。さらに、デジタル複合機１は、アナログ回線用のデータ通信ネットワークであるＰＳＴＮ（公衆交換電話網）３３と接続されている。これによって、デジタル複合機１はＰＳＴＮ３３を介して接続された外部端末３４との通信を行うことができる。外部端末２９，３２，３４は、モデム接続されたパソコン、デジタル複合機１と同様の装置、固定電話、携帯電話、ＦＡＸ専用機、等である。
【００４５】
〈１−２．特殊原稿の処理に関する構成〉
デジタル複合機１は、処理対象となる原稿の種類に応じた複数の処理モードを備えている。特に、原稿が「特殊文書」として登録された文書に該当する原稿（以下において「特殊原稿」という）の場合には、所定の「特殊原稿処理モード」にて当該原稿に対する処理を実行する。
【００４６】
ただし、「特殊文書」とは、所定のフォーマットに文字情報が記載される定型文書であり、例えば、自動車検査証、住民票等がこれに該当する。これらの「特殊文書」は、表示すべき情報本体のうち文字情報（住所氏名など）がモノクロ文字で表現されているほか、その文書が真正なものであることを示す画像要素として、有彩色の淡い地紋などの認証情報が背景画像として表示されていることが多いという特徴がある。ここにおける「淡い」とは、表示すべき情報本体と比較して表示濃度が低い（明度が高い）という意味である。運転免許証などのように（地紋ではない）カラー写真をも含む原稿もあるが、その場合のカラー写真は表示すべき情報の一部をなすために、その鮮明さを確保する目的で小さくない濃度で表示されている。すなわち、濃度という観点からは、(1) 濃度大＝文字情報、(2) 濃度中＝写真情報、(3) 濃度低＝認証用の画像要素（地紋など）、という関係にあるが、これのうちの認証用の画像要素は(1)(2)と比較して有意に大きな濃度差があるため、その要素だけを分離して消去あるいは抑圧するような画像変換を行うことによってそれらの違いを強調できることになり、この発明の実施形態の装置はこの原理を用いている（具体的な構成と処理は後述する）。換言すれば、特殊文書が真正であることを保証する画像要素の視認性を低減させるようなコントラスト強調処理によって、文字情報など、情報の本体部分を有効に抽出しようとするものである。すなわち、「特殊原稿処理モード」とは、原稿を忠実に再現して複製物を生成するのではなく、原稿内の文字情報を見やすく再現した複製物を生成する処理モードである。
【００４７】
特殊原稿の処理に関する機能構成について図２を参照しながら説明する。図２は特殊原稿の処理に関する機能構成を示すブロック図である。また、以下においては、適宜図３、図４および図５を参照する。図３は特殊文書として登録される定型文書を例示する図である。図４は特殊文書特殊原稿およびその複製物を例示する図である。図５はＹ成分補正処理に係る変換グラフを例示する図である。
【００４８】
デジタル複合機１は、特殊文書の処理に関する構成として、特殊文書識別情報取得部１０１と、とばし色情報取得部１０２と、原稿判定部１０３と、特殊原稿処理部１０４とを備えている。なお、これら各機能部は、制御部１１がプログラムを実行することにより実現される構成要素である。また、ＲＡＭ１３には１以上の特殊文書のそれぞれについての特殊文書情報Ｆ１，Ｆ２，Ｆ３・・を格納している。以下において、ＲＡＭ１３に格納される１以上の特殊文書情報Ｆ１，Ｆ２，Ｆ３・・のうちの任意の特殊文書情報を指す場合、単に「特殊文書情報Ｆ」と示す。
【００４９】
特殊文書情報Ｆには、特殊文書識別情報Ｄととばし色情報Ｃとが格納されている。ただし、後述する「色とばし処理」を実行する必要がない特殊文書については、特殊文書情報Ｆとして特殊文書識別情報Ｄのみが格納される。
【００５０】
特殊文書識別情報Ｄは、原稿が特殊文書であるか否かを識別するために用いられる情報である。特殊文書識別情報Ｄには、サンプル領域情報ｄ１と文書色分布情報ｄ２とが含まれる。
【００５１】
サンプル領域情報ｄ１は、特殊文書中の「サンプル領域Ｓ」を規定する情報である。例えば、サンプル領域Ｓが矩形領域の場合、サンプル領域Ｓの始点（例えば、サンプル領域Ｓの左下頂点）の座標位置（例えば、特殊文書の左下を原点とする座標系における始点の座標位置）および領域サイズが、サンプル領域情報ｄ１として保持される。サンプル領域Ｓは、定型文書中の可変領域（文書によって記載される内容が異なる領域）を含まないように規定されることが望ましい（図３参照）。なお、定型文書中の複数の領域をサンプル領域Ｓとしてもよい。
【００５２】
文書色分布情報ｄ２は、特殊文書のサンプル領域Ｓに係る色分布情報である。より具体的には、特殊文書のサンプル領域Ｓを構成する画素データ群が、ＹＣｂＣｒ色空間におけるＣｂＣｒ平面上においてどのように分布しているかを規定する情報である。画素データの分布は、例えば、ＣｂＣｒ平面における複数の色領域（例えば、ＣｂＣｒ平面を放射状に１５等分割することによって規定される１６の色領域）のそれぞれに含まれる画素データの個数によって規定される。
【００５３】
とばし色情報Ｃは、複製物において再現させない色（以下において「とばし色」という）を規定する情報である。より具体的には、とばし色のＹＣｂＣｒ色空間における分布領域（とばし色領域）を規定する情報である。ただし、とばし色領域のＹ領域の最大値は「２５５」に固定される（ただし、この実施の形態においては、画素データのＹ成分は「０〜２５５」の２５６段階で表現されるものとする）。とばし色領域は、Ｙ領域によって１次元的に規定されてもよいし、Ｙ領域、Ｃｂ領域およびＣｒ領域によって３次元的に規定されてもよい。３次元的に規定すれば、とばし色をより限定的に特定することができる。
【００５４】
特殊文書識別情報取得部１０１は、ユーザが特殊文書として登録したいと所望する定型文書（以下において「登録文書Ｋ」という）の特殊文書識別情報Ｄを取得する。特殊文書識別情報取得部１０１は、サンプル領域指定受付部１０１１と、文書色分布情報取得部１０１２とを備える。
【００５５】
サンプル領域指定受付部１０１１は、登録文書Ｋのサンプル領域情報ｄ１を取得する。例えば、サンプル領域Ｓとすべき領域の始点の座標値と、サンプル領域Ｓとすべき領域のサイズの値とをユーザに入力させ、当該入力された数値をサンプル領域情報ｄ１として取得する。
【００５６】
文書色分布情報取得部１０１２は、登録文書Ｋの文書色分布情報ｄ２を取得する。例えば、登録すべき定型文書を読み取って取得した画像データからサンプル領域Ｓを構成する画素データ群を抽出し、当該画素データ群が、ＣｂＣｒ平面を放射状に１５等分割することによって規定される１６の色領域のそれぞれに何個ずつ含まれるかをカウントする。そして、当該カウント数を特殊文書の文書色分布情報ｄ２として取得する。
【００５７】
とばし色情報取得部１０２は、登録文書Ｋのとばし色情報Ｃを取得する。とばし色情報取得部１０２は、とばし色領域指定受付部１０２１と、色成分情報取得部１０２２とを備える。
【００５８】
とばし色領域指定受付部１０２１は、とばし色の指定をユーザから受け付ける。より具体的には、登録文書Ｋにおいて、とばし色が現れている領域（とばし色領域Ｔ）の指定をユーザから受け付ける。例えば、とばし色領域Ｔとすべき領域の始点の座標値と、とばし色領域Ｔとすべき領域のサイズの値とをユーザに入力させ、当該入力された数値をとばし色領域Ｔを特定する情報として取得する。なお、定型文書中の複数の領域がとばし色領域Ｔとして指定されてもよい。また、とばし色領域Ｔが上述したサンプル領域Ｓと一致する領域であってもよい。
【００５９】
色成分情報取得部１０２２は、登録文書Ｋのとばし色情報Ｃを取得する。例えば、登録文書Ｋを読み取って取得した画像データからとばし色領域Ｔを構成する画素データ群を抽出し、当該画素データ群のＹＣｂＣｒ色空間における分布領域を特定する。そして、当該分布領域をとばし色領域とし、このとばし色領域を特定する情報をとばし色情報Ｃとして取得する。ただし、上述の通り、とばし色領域のＹ領域の最大値は「２５５」に固定されるので、例えばとばし色領域Ｔに含まれる画素データ群のＹ成分が「１９０〜２００」に分布していた場合、とばし色領域は「１９０〜２５５」とみなされる。またさらに、所定のマージンを加えてとばし色領域を規定してもよい。すなわち、例えばとばし色領域Ｔに含まれる画素データ群のＹ成分が「１９０〜２００」に分布していた場合、マージン領域「１０」を付加して、とばし色領域を「１８０〜２５５」とみなしてもよい。
【００６０】
特に、登録文書Ｋに地紋が付されている場合（図３参照）、ユーザは、淡いカラーの地紋（背景画像）が付されている領域をとばし色領域Ｔとして指定することができる。この場合、色成分情報取得部１０２２は、登録すべき定型文書の地紋の色領域を特定する情報を、とばし色情報Ｃとして取得することになる。
【００６１】
原稿判定部１０３は、処理対象の原稿が特殊原稿であるか否かを判定する。原稿判定部１０３は、原稿色分布情報取得部１０３１と、色分布比較部１０３２とを備える。
【００６２】
原稿色分布情報取得部１０３１は、原稿の所定領域に係る色分布情報を取得する。ただし、所定領域とは、判定対象となる特殊文書のサンプル領域Ｓ（すなわち、判定対象となる特殊文書の特殊文書情報Ｆとして保持されているサンプル領域情報ｄ１によって規定される領域）に相当する領域である（図４（ａ）参照）。例えば、淡いカラーの地紋を有する原稿をプレスキャンして取得した画像データからこの所定領域を構成する画素データ群を抽出し、当該画素データ群が、ＣｂＣｒ平面を放射状に１５等分割することによって規定される１６の色領域のそれぞれに何個づつ含まれるかをカウントする。そして、当該カウント数を原稿の色分布情報（以下において「原稿色分布情報」という）として取得する。
【００６３】
色分布比較部１０３２は、判定対象となる特殊文書の特殊文書情報Ｆとして保持されている文書色分布情報ｄ２と、原稿色分布情報取得部１０３１が取得した原稿色分布情報とを比較して、両方が一致するか否かを判断する。一致する場合は、原稿は特殊原稿であると判断する。ただし、文書色分布情報ｄ２と原稿色分布情報とは必ずしも完全に一致している必要はなく、所定の許容範囲内で一致する場合には一致するとみなしてもよい。
【００６４】
特殊原稿処理部１０４は、特殊原稿を読み取って取得した画像データ（すなわち、画像読取部１６が特殊原稿を読み取って取得した多階調のＲＧＢ画像データを、画像処理部１７が多階調のＹＣｂＣｒ画像データ（すなわち、ＹＣｂＣｒ色空間で表現されたカラーの画像データ）に変換することによって得られた画像データであり、以下において「特殊画像データ」という）に対して所定の「特殊原稿画像処理」を行う。特殊原稿画像処理には、モノクロ変換処理、空間フィルタ処理、Ｙ成分補正処理（すなわち、色とばし処理および黒補正処理）等の各画像処理が含まれる。ただし、空間フィルタ処理とは、エッジ強調や平滑化であって、細線の再現を向上させて、ノイズを抑えるための処理である。特殊原稿処理部１０４は、主として、モノクロ変換部１０４１と、色とばし処理部１０４２と、黒補正処理部１０４３とを備える。
【００６５】
モノクロ変換部１０４１は、特殊画像データをモノクロの画像データに変換する（モノクロ変換処理）。より具体的には、特殊画像データのカラー情報を破棄するとともに、輝度成分を単純二値化法等を用いて二値化する。そして、得られたＹＣｂＣｒ画像データの輝度成分をＭＭＲ方式等で圧縮してモノクロの画像データを取得する。
【００６６】
色とばし処理部１０４２は、特殊画像データに含まれる画素データのうち、とばし色の画素データ（すなわち、色成分がとばし色情報Ｃにより規定されるとばし色領域に含まれる画素データ）を白色（記録しない色）の画素データに変換する（色とばし処理）。なお、本明細書における「白色」とは「明るさ成分」としてとりうる値の最大値により規定される色を指す。ただし、「明るさ成分」とは、測光量としての明るさである「輝度」の成分（例えば、ＹＣｂＣｒ表色系におけるＹ成分）や知覚色としての明るさである「明度」の成分（例えば、Ｌ＊ａ＊ｂ＊表色系におけるＬ成分）がこれに相当する。例えば、画像データの色成分がＹＣｂＣｒ色空間にて表現されており、Ｙ成分としてとりうる値が「０〜２５５」の場合、「白色」とはＹ成分「２５５」により規定される色である。すなわちこの場合、色とばし処理部１０４２は、とばし色の画素データのＹ成分の値を「２５５」に変換する。
【００６７】
例えば、とばし色情報Ｃにおいて、とばし色領域がＹ成分「１８０〜２５５」と規定されている場合、色とばし処理部１０４２は、Ｙ成分が「１８０〜２５５」に含まれる入力データのＹ成分の値を「２５５」に変換して出力する（図５（ａ）参照）。この変換処理が実行されると、とばし色の画素データは白色に変換されるので、特殊原稿に含まれるとばし色の部分が複製物において再現されないことになる。
【００６８】
特に、とばし色情報Ｃとして地紋の色領域が保持されている場合、とばし色の画素データ（すなわち、地紋領域の画素データ）は白色に変換されるので、特殊原稿に含まれる地紋領域分が複製物において再現されないことになる。すなわち、複製物において地紋が顕在化しないことになる（図４（ｂ）参照）。
【００６９】
黒補正処理部１０４３は、特殊画像データに含まれる画素データのうち、Ｙ成分の値が所定値ｔ（ただし、所定値ｔは、予め設定された任意の値であり、例えばｔ＝３０である）以下の画素データを黒色の画素データに変換する（黒補正処理）。なお、本明細書における「黒色」とは「明るさ成分」としてとりうる値の最小値により規定される色を指す。例えば、画像データの色成分がＹＣｂＣｒ色空間にて表現されており、Ｙ成分としてとりうる値が「０〜２５５」の場合、「黒色」とはＹ成分「０」により規定される色である。すなわちこの場合、黒補正処理部１０４３は、Ｙ成分が所定値ｔ以下の画素データのＹ成分の値を「０」に変換する。
【００７０】
例えば、所定値ｔが「３０」と設定されている場合、黒補正処理部１０４３は、Ｙ成分が「３０」以下の入力データのＹ成分の値を「０」に変換して出力する（図５（ａ）参照）。この変換処理が実行されると、Ｙ成分が所定値ｔ以下の画素データは黒色に変換されるので、媒体上に再現される黒領域が多くなる。すなわち、特殊原稿の複製物では黒色が強調されることになる。
【００７１】
なお、特殊原稿処理部１０４は、とばし色処理の対象にもならず、黒補正処理の対象にもならない画素データ（すなわち、色成分がとばし色情報Ｃにより規定されるとばし色領域に含まれず、かつＹ成分が、所定値ｔよりも大きい画素データ）のＹ成分については、出力範囲が「０〜２５５」となるように線形的に変換する（図５（ａ）参照）。すなわち、出力データにおいてＹ成分の非連続部が生じないように変換式を設定してＹ成分の変換処理を実行する。
【００７２】
〈２．処理動作〉
次に、デジタル複合機１において実行される画像形成処理について説明する。画像形成処理が実行される前提として、ＲＡＭ１３には１以上の特殊文書のそれぞれについての特殊文書情報Ｆ１，Ｆ２，Ｆ３・・が格納されているものとする。なお、特殊文書情報Ｆは、デジタル複合機１の保持情報として出荷時から登録されていたものであってもよいし、ユーザが新たに登録したものであってもよい。例えば、特殊文書が、車検証のように地域等によらないフォーマットの文書の場合、当該特殊文書に係る特殊文書情報Ｆは、デジタル複合機１の保持情報として出荷時から登録されていてもよい。また、特殊文書が、例えば住民票のように、地域等によって異なるフォーマットの文書の場合、当該特殊文書に係る特殊文書情報Ｆは、ユーザが新たに登録してもよい。
【００７３】
〈２−１．特殊文書情報Ｆの登録受付処理〉
ユーザから新たに特殊文書情報Ｆの登録を受け付ける際の処理動作について、図６を参照しながら説明する。図６は、ユーザから特殊文書情報Ｆの登録を受け付ける際の処理の流れを示す図である。
【００７４】
ユーザが、特殊文書として登録したいと所望する定型文書（登録文書Ｋ）を原稿載置台（もしくはガラス台）にセットして、例えばメニュー画面（図示省略）から特殊文書の登録を開始する旨の指示を入力すると、特殊文書情報Ｆの登録受付処理が開始される。
【００７５】
まず、画像読取部１６が、登録文書Ｋを読み取って画像データを取得する（ステップＳ１）。
【００７６】
続いて、サンプル領域指定受付部１０１１が、登録文書Ｋのサンプル領域情報ｄ１を取得する（ステップＳ２）。より具体的には、まず、表示部１５に所定のメッセージ（例えば、「サンプル情報を取得する領域を指定してください」とのメッセージ）を表示させて、サンプル領域Ｓとすべき領域の始点の座標値と、サンプル領域Ｓとすべき領域サイズの値との入力をユーザに促す。当該メッセージに応じてユーザが所望の数値を入力すると、当該入力された数値をサンプル領域情報ｄ１として取得する（図３参照）。
【００７７】
続いて、文書色分布情報取得部１０１２が、登録文書Ｋの文書色分布情報ｄ２を取得する（ステップＳ３）。より具体的には、まず、ステップＳ１で取得された画像データからサンプル領域Ｓ（すなわち、ステップＳ２で取得されたサンプル領域情報ｄ１によって特定される領域）を構成する画素データ群を抽出し、当該画素データ群が、ＣｂＣｒ平面を放射状に１５等分割することによって規定される１６の色領域のそれぞれに何個づつ含まれるかをカウントする。そして、当該カウント数を特殊文書の文書色分布情報ｄ２として取得する。
【００７８】
続いて、とばし色領域指定受付部１０２１が、とばし色情報Ｃを登録するか否かをユーザに問い合わせる（ステップＳ４）。例えば、表示部１５に所定のメッセージ（例えば、「とばしたい色を登録しますか？」とのメッセージ）を表示させる。
【００７９】
ステップＳ４の問い合わせに応じて、ユーザがとばし色情報Ｃを登録しない旨を操作部１４を介して入力した場合、特殊文書識別情報取得部１０１が、ステップＳ２で取得したサンプル領域情報ｄ１とステップＳ３で取得した文書色分布情報ｄ２とを、新たな特殊文書情報ＦとしてＲＡＭ１３に格納する（ステップＳ５）。
【００８０】
ステップＳ４の問い合わせに応じて、ユーザがとばし色情報Ｃを登録する旨を操作部１４を介して入力した場合、続いて、とばし色領域指定受付部１０２１が、登録文書Ｋのとばし色領域Ｔを特定する情報を取得する（ステップＳ６）。より具体的には、まず、表示部１５に所定のメッセージ（例えば、「とばす色が現れている領域を指定してください」とのメッセージ）を表示させて、とばし色領域Ｔとすべき領域の始点の座標値と、とばし色領域Ｔとすべき領域サイズの値との入力をユーザに促す。当該メッセージに応じてユーザが所望の数値を入力すると、当該入力された数値をとばし色領域Ｔを特定する情報として取得する。
【００８１】
続いて、色成分情報取得部１０２２が、登録文書Ｋのとばし色情報Ｃを取得する（ステップＳ７）。より具体的には、まず、ステップＳ１で取得された画像データからとばし色領域Ｔ（すなわち、ステップＳ６で取得された情報によって特定されるとばし色領域Ｔ）を構成する画素データ群を抽出し、当該画素データ群のＹＣｂＣｒ色空間における分布領域を特定する。そして、当該分布領域をとばし色領域とし、このとばし色領域を特定する情報をとばし色情報Ｃとして取得する。
【００８２】
続いて、特殊文書識別情報取得部１０１が、ステップＳ２で取得したサンプル領域情報ｄ１とステップＳ３で取得した文書色分布情報ｄ２とをＲＡＭ１３に格納するとともに、とばし色情報取得部１０２が、ステップＳ７で取得したとばし色情報ＣをＲＡＭ１３に格納する（ステップＳ８）。すなわち、サンプル領域情報ｄ１、文書色分布情報ｄ２およびとばし色情報Ｃが新たな特殊文書情報ＦとしてＲＡＭ１３に格納される。以上で、ユーザから特殊文書情報Ｆの登録を受け付ける処理が終了する。
【００８３】
〈２−２．画像形成処理〉
次に、デジタル複合機１において実行される画像形成処理について説明する。
【００８４】
はじめに、おおまかな処理の流れについて、図７を参照しながら説明する。ただし、図７は、デジタル複合機１において実行される画像形成処理のおおまかな流れを示す図である。
【００８５】
原稿が原稿載置台（もしくはガラス台）にセットされたことが検出され、ユーザから原稿のコピー実行を開始する旨の入力が受け付けられると（ステップＳ１１）、原稿の画像形成処理が開始される。まず、原稿判定部１０３が、ユーザがセットした原稿が特殊文書であるか否かを判定する（ステップＳ１２）。ステップＳ１２で、原稿が特殊原稿でないと判定された場合、通常の処理モードで当該原稿に対する処理を実行する（ステップＳ１３）。一方、原稿が特殊原稿であると判定された場合、特殊原稿処理モードで当該原稿に対する処理を実行する（ステップＳ１４）。以下において、ステップＳ１２およびステップＳ１４の各処理について具体的に説明する。
【００８６】
〈２−２−１．原稿が特殊原稿であるか否かの判定処理〉
原稿が特殊原稿であるか否かの判定処理（図７のステップＳ１２の処理）について図８を参照しながら説明する。図８は、原稿が特殊原稿であるか否かの判定処理の流れを示す図である。
【００８７】
まず、原稿をプレスキャン（すなわち、画像データを取得するべく原稿を読み取る前に、原稿を粗く読み取って各種の判定処理に用いる画像データを取得する読み取り処理）して、多階調の画像データを取得する（ステップＳ１１１）。
【００８８】
続いて、ＲＡＭ１３に格納された複数の特殊文書情報Ｆ１，Ｆ２，Ｆ３・・のうちのいずれかを読み出す（ステップＳ１１２）。
【００８９】
続いて、原稿色分布情報取得部１０３１が、原稿中のサンプル領域Ｓに相当する領域（すなわち、ステップＳ１１２で読み出された特殊文書情報Ｆとして保持されているサンプル領域情報ｄ１によって規定される領域に相当する領域）に係る色分布情報（原稿色分布情報）を取得する（ステップＳ１１３）。より具体的には、まず、ステップＳ１１１で取得された画像データから当該サンプル領域Ｓに相当する領域を構成する画素データ群を抽出し、当該画素データ群が、ＣｂＣｒ平面を放射状に１５等分割することによって規定される１６の色領域のそれぞれに何個づつ含まれるかをカウントする。そして、当該カウント数を原稿色分布情報として取得する。なお、１つのサンプル領域Ｓに相当する領域として、原稿中の２箇所の領域を規定してもよい。この場合、第１の領域は、サンプル領域情報ｄ１によって直接に規定される領域Ｎ１であり、第２の領域は、原稿の中央を中心として領域Ｎ１と点対称の関係にある領域Ｎ２である（図４（ａ）参照）。第２の領域Ｎ２は、原稿の天地が逆さまになった場合に第１の領域Ｎ１が現れる位置である。サンプル領域情報ｄ１によって規定される領域に相当する領域として２つの領域Ｎ１，Ｎ２の領域を規定する場合、原稿色分布情報取得部１０３１は、２つの領域Ｎ１，Ｎ２のそれぞれについての色分布情報を、原稿色分布情報として取得する。
【００９０】
続いて、色分布比較部１０３２が、ステップＳ１１２で読み出された特殊文書情報Ｆとして保持されている文書色分布情報ｄ２と、ステップＳ１１３で取得された原稿色分布情報とを比較して、両者が一致するか否かを判断する（ステップＳ１１４）。なお、ステップＳ１１３において、原稿色分布情報として２つの領域Ｎ１，Ｎ２のそれぞれについての色分布情報が取得されている場合、色分布比較部１０３２は、文書色分布情報ｄ２が、第１の領域Ｎ１についての色分布情報もしくは第２の領域Ｎ２についての色分布情報のうちの少なくとも一方と一致するか否かを判断する。
【００９１】
ステップＳ１１４で、文書色分布情報ｄ２と原稿色分布情報とが一致すると判断された場合は、原稿は特殊原稿であると判断する（ステップＳ１１５）。なお、原稿色分布情報として２つの領域Ｎ１，Ｎ２のそれぞれについての色分布情報を取得している場合、そのうちのいずれか一方が文書色分布情報ｄ２と一致すれば、原稿が特殊原稿であると判断する。したがってこの場合、原稿の天地が逆に置かれてしまったために、特殊原稿が誤って通常の原稿と判断されてしまうことがない。
【００９２】
一方、ステップＳ１１４で、文書色分布情報ｄ２と原稿色分布情報とが一致すると判断されなかった場合は、ＲＡＭ１３に格納された特殊文書情報Ｆ１，Ｆ２，Ｆ３・・のすべてが読み出されたか否かを判断する（ステップＳ１１６）。
【００９３】
ステップＳ１１６で、ＲＡＭ１３に格納された特殊文書情報Ｆ１，Ｆ２，Ｆ３・・のすべてが読み出されていないと判断された場合は、再びステップＳ１１２の処理に戻る。
【００９４】
一方、ステップＳ１１６で、ＲＡＭ１３に格納された特殊文書情報Ｆ１，Ｆ２，Ｆ３・・のすべてが読み出されたと判断された場合（すなわち、原稿が、登録されたいずれの特殊文書にも該当しない場合）は、原稿は特殊原稿でないと判断する（ステップＳ１１７）。以上が、原稿が特殊原稿であるか否かの判定処理である。
【００９５】
〈２−２−２．特殊原稿に対する処理〉
特殊原稿に対する処理（図７のステップＳ１４の処理）について図９を参照しながら説明する。図９は、特殊原稿に対する処理（すなわち、特殊原稿処理モードにて実行される処理）の流れを示す図である。
【００９６】
はじめに、原稿（すなわち、特殊原稿）を読み取って画像データ（すなわち、特殊画像データ）を取得する（ステップＳ１２１）。より具体的には、画像読取部１６が特殊原稿を読み取って多階調のＲＧＢ画像データを取得し、続いて画像処理部１７が当該取得されたＲＧＢ画像データを多階調のＹＣｂＣｒ画像データに変換して特殊画像データを取得する。
【００９７】
続いて、特殊原稿処理部１０４が、ステップＳ１２１で取得された画像データに対して、空間フィルタ処理（平滑化処理およびエッジ強調処理）を実行する（ステップＳ１２２）。
【００９８】
続いて、特殊原稿処理部１０４が、ステップＳ１２２の処理後の画像データに対して、所定のＹ成分補正処理を実行する（ステップＳ１２３）。
【００９９】
例えば、処理すべき特殊原稿が、特殊文書情報Ｆとしてとばし色情報Ｃが保持されている文書に該当している場合、例えば図５（ａ）に示される変換グラフに基づいてＹ成分が補正される。すなわちこの場合、色とばし処理部１０４２が、特殊画像データに含まれる画素データのうち、とばし色の画素データ（すなわち、色成分が当該とばし色情報Ｃにより規定されるとばし色領域（図５（ａ）の例では、Ｙ成分「１８０〜２５５」の領域）に含まれる画素データ）のＹ成分の値を「２５５」に変換する（色とばし処理）。また、黒補正処理部１０４３が、特殊画像データに含まれる画素データのうち、Ｙ成分の値が所定値ｔ（図５（ａ）の例では、ｔ＝３０）以下の画素データのＹ成分の値を「０」に変換する（黒補正処理）。
【０１００】
また例えば、処理すべき特殊原稿が、特殊文書情報Ｆとしてとばし色情報Ｃが保持されていない文書に該当している場合、例えば図５（ｂ）に示される変換グラフに基づいてＹ成分が補正される。すなわちこの場合、黒補正処理部１０４３が、特殊画像データに含まれる画素データのうち、Ｙ成分の値が所定値ｔ（図５（ａ）の例では、ｔ＝３０）以下の画素データのＹ成分の値を「０」に変換する（黒補正処理）。
【０１０１】
続いて、モノクロ変換部１０４１が、ステップＳ１２３の処理後の画像データをモノクロの画像データに変換する（ステップＳ１２４）。より具体的には、画像データのカラー情報を破棄するとともに、輝度成分を単純二値化法等を用いて二値化し、さらに輝度成分をＭＭＲ方式等で圧縮してモノクロの画像データを取得する。
【０１０２】
続いて、画像記録部１８が、ステップＳ１２４で取得されたモノクロの画像データを記録紙上へ記録する（ステップＳ１２５）。これにより、特殊原稿の複製物が生成される（図４（ｂ）参照）。以上が、特殊原稿に対する処理である。
【０１０３】
〈３．効果〉
上記の実施の形態によると、原稿が特殊文書に該当する特殊原稿であるか否かを判定し、特殊原稿の場合には所定の特殊原稿処理モードで処理を実行する。特殊原稿処理モードにおいては、モノクロ変換部１０４１が原稿を読み取って取得した画像データをモノクロに変換する。したがって、文字情報が明瞭に読み取れる複製物を生成することができる。
【０１０４】
また、特殊文書識別情報取得部１０１がユーザから特殊文書識別情報Ｄの登録を受け付けるので、ユーザは、所望の文書を特殊文書として登録することができる。
【０１０５】
また、サンプル領域指定受付部１０１１がユーザからサンプル領域情報ｄ１の登録を受け付けるので、ユーザは、特殊文書として登録する文書の所望の領域をサンプル領域Ｓとすることができる。
【０１０６】
また、特殊原稿の場合には、色とばし処理部１０４２が、特殊原稿を読み取って取得された画像データに含まれるとばし色の画素データを白色の画素データに変換するので、特殊原稿に含まれるとばし色の部分が複製物において再現されないことになる。これによって、複製物において文字情報を明瞭に際だたせることができる。
【０１０７】
また、とばし色情報取得部１０２が、白色成分に変換するべきとばし色を規定するとばし色情報Ｃをユーザからの指示に基づいて取得するので、ユーザは、特殊文書として登録する文書中の任意の色を、とばし色として指定することができる。
【０１０８】
また、特に、とばし色を、特殊文書の地紋の色とすれば、複製物において地紋が再現されない。すなわち、複製物において地紋が顕在化しない。したがって、この場合、原稿に地紋が付されていた場合であっても、文字情報が明瞭に読み取れる複製物を生成することができる（図４（ｂ）参照）。
【０１０９】
また、特殊原稿の場合には、黒補正処理部１０４３が、特殊原稿を読み取って取得された画像データに含まれる画素データのうち、Ｙ成分の値が所定値以下の画素データを黒色の画素データに変換するので、媒体上に再現される黒領域が多くなる。すなわち、複製物で黒色を強調することができる。これによって、複製物において文字情報を明瞭に際だたせることができる。
【０１１０】
〈４．変形例〉
〈４−１．第１の変形例〉
上記の実施の形態においては、とばし色領域指定受付部１０２１が、とばし色領域Ｔの指定をユーザから受け付け、色成分情報取得部１０２２が、登録文書Ｋを読み取って取得した画像データにおいてとばし色領域Ｔを構成する画素データ群のＹＣｂＣｒ色空間における分布領域（とばし色領域）を特定する情報を、とばし色情報Ｃとして取得する構成としていたが、とばし色情報Ｃとして、とばし色領域Ｔを規定する情報を保持する構成としてもよい。
【０１１１】
この変形例に係るデジタル複合機２の特殊原稿の処理に関する機能構成について、図１０を参照しながら説明する。図１０は特殊原稿の処理に関する機能構成を示すブロック図である。なお、図１０において、図２と同様の機能構成については同じ符号で示すとともに、具体的な機能内容についての説明は省略する。
【０１１２】
デジタル複合機２においても、上記の実施の形態に係るデジタル複合機１と同様、ＲＡＭ１３には１以上の特殊文書のそれぞれについての特殊文書情報Ｆ１，Ｆ２，Ｆ３・・が格納されており、各特殊文書情報Ｆは、特殊文書識別情報Ｄととばし色情報Ｃとを有する。ただしここでは、とばし色情報Ｃは、特殊文書中のとばし色領域Ｔを規定する情報である。
【０１１３】
デジタル複合機２は、特殊文書の処理に関する構成として、特殊文書識別情報取得部１０１と、とばし色情報取得部２０２と、原稿判定部１０３と、特殊原稿処理部２０４とを備えている。
【０１１４】
とばし色情報取得部２０２は、登録文書Ｋのとばし色情報Ｃを取得する。とばし色情報取得部２０２は、とばし色領域指定受付部２０２１を備える。
【０１１５】
とばし色領域指定受付部２０２１は、登録文書Ｋにおいて、とばし色が現れている領域（とばし色領域Ｔ）の指定をユーザから受け付ける。そして、受け付けたとばし色領域Ｔを規定する情報を、とばし色情報Ｃとして取得する。
【０１１６】
特殊原稿処理部２０４は、特殊画像データに対して殊原稿画像処理を行う。特殊原稿処理部２０４は、主として、モノクロ変換部２０４１と、色とばし処理部２０４２と、黒補正処理部２０４３とを備える。モノクロ変換部２０４１および黒補正処理部２０４３は、それぞれ上記の実施の形態に係るモノクロ変換部１０４１および黒補正処理部１０４３と同様である。
【０１１７】
色とばし処理部２０４２は、色成分情報取得部２０４２１を備えている。色成分情報取得部２０４２１は、色とばし処理が実行されるのに先立って、とばし色情報Ｃ（すなわち、とばし色領域Ｔを規定する情報）に基づいてとばし色領域を特定する。より具体的には、色とばし処理の実行対象となる特殊画像データから、とばし色領域Ｔ（すなわち、当該原稿に係る特殊文書の特殊文書情報Ｆとして保持されているとばし色情報Ｃによって規定される領域）に相当する領域を構成する画素データ群を抽出し、当該画素データ群のＹＣｂＣｒ色空間における分布領域を特定する。そして、当該分布領域をとばし色領域とする。ただし、上記の実施の形態と同様、このとばし色領域のＹ領域の最大値も「２５５」に固定される。
【０１１８】
色とばし処理部２０４２は、特殊画像データに含まれる画素データのうち、とばし色の画素データ（すなわち、色成分情報取得部２０４２１によって特定されたとばし色領域に含まれる画素データ）を白色の画素データに変換する。
【０１１９】
すなわち、上記の実施の形態においては、登録文書Ｋを読み取って取得した画像データにおいてとばし色領域Ｔを構成する画素データ群の色分布領域をとばし色領域としていたが、この変形例においては、特殊原稿と判定された原稿を読み取って取得した画像データ（すなわち、色とばし処理の実行対象となる特殊画像データ）においてとばし色領域Ｔを構成する画素データ群の色分布領域をとばし色領域とする。
【０１２０】
一般に、同じ種類の特殊原稿であっても、実際は個々の原稿間で濃度や色調等にばらつきがある場合があり、とばすべき色の領域（例えば地紋の色の領域）は、原稿間で必ずしも全く同じではない。したがって、上記の実施の形態のように、予め登録されたとばし色領域によって一律に色とばし処理を行う構成においては、このような原稿間の濃度等のばらつきを考慮することができないために、正確に原稿内の地紋等をとばすことができない可能性があった。しかしながら、この変形例に係る構成によると、各原稿の画像データに基づいて特定されたとばし色領域によって当該原稿の色とばし処理を行うので、原稿間の濃度等のばらつきがあっても正確に原稿内の地紋等をとばすことができる。
【０１２１】
〈４−２．第２の変形例〉
上記の実施の形態においては、特殊文書識別情報Ｄとして、サンプル領域情報ｄ１と文書色分布情報ｄ２とを保持する構成としたが、これに加えて特殊文書のサイズを規定する情報（文書サイズ情報）をさらに特殊文書識別情報Ｄとして保持してもよい。この場合、例えば、特殊文書として登録される定型文書が「Ａ４判」の場合、「Ａ４判」のサイズ（297mm*210mm)を文書サイズ情報として保持することになる。
【０１２２】
この変形例に係る特殊文書識別情報取得部１０１は、登録文書Ｋの特殊文書識別情報Ｄとして、サンプル領域情報ｄ１、文書色分布情報ｄ２に加え、文書サイズ情報を取得する。例えば、登録文書Ｋの用紙サイズを検出し、当該検出した用紙サイズを文書サイズ情報として取得する。
【０１２３】
すなわち、この変形例に係るデジタル複合機１において実行される特殊文書情報Ｆの登録受付処理においては、画像読取部１６が登録文書Ｋを読み取って画像データを取得する際に（図６のステップＳ１）、特殊文書識別情報取得部１０１が登録文書Ｋの用紙サイズを検出して、当該検出した用紙サイズ情報を文書サイズ情報として取得することになる。以降の処理は、上記の実施の形態と同様である（図６のステップＳ２〜ステップＳ８参照）。
【０１２４】
また、この変形例に係る原稿判定部１０３は、処理対象の原稿が特殊原稿であるか否かを判定するにあたり、まず原稿のサイズを検出し、当該検出された原稿のサイズと、判定対象となる特殊文書の特殊文書識別情報Ｄとして保持されている文書サイズ情報とを比較して、両方が一致するか否かを判断する。一致しない場合は、原稿は特殊原稿でないと判断し、一致する場合は、原稿は特殊原稿である可能性があると判断する。
【０１２５】
この変形例に係るデジタル複合機１において実行される、原稿が特殊原稿であるか否かの判定処理（図７のステップＳ１２の処理）について図１１を参照しながら説明する。図１１は、原稿が特殊原稿であるか否かの判定処理の流れを示す図である。なお、図１１において、図８と同様の処理については同じ符号で示すとともに、具体的な処理内容については説明を省略する。
【０１２６】
まず、原稿をプレスキャンして、多階調の画像データを取得し（ステップＳ１１１）、続いて、ＲＡＭ１３に格納された複数の特殊文書情報Ｆ１，Ｆ２，Ｆ３・・のうちのいずれかを読み出す（ステップＳ１１２）。
【０１２７】
続いて、原稿判定部１０３が、ステップＳ１１２で読み出された特殊文書情報Ｆとして保持されている文書サイズ情報と、ステップＳ１１１でプレスキャンされた原稿のサイズとを比較して、両者が一致するか否かを判断する（ステップＳ２０１）。
【０１２８】
ステップＳ２０１で、文書サイズ情報と原稿のサイズとが一致すると判断された場合は、原稿は特殊原稿である可能性があると判断して、ステップＳ１１３に進む。ステップＳ１１３以降の処理動作は、上記の実施の形態と同様である。
【０１２９】
一方、ステップＳ２０３で、文書サイズ情報と原稿のサイズとが一致しない判断された場合は、原稿は特殊原稿でないと判断して、ステップＳ１１３〜ステップＳ１１４の処理を実行するまでもなくステップＳ１１６に進む。ステップＳ１１６以降の処理動作は、上記の実施の形態と同様である。
【０１３０】
この変形例に係るデジタル複合機１においては、はじめに文書サイズ情報を用いて原稿が特殊原稿であるか否かを判定するので、原稿のサイズが特殊文書のサイズと異なる場合は、原稿の色分布情報を取得するまでもなく原稿が特殊原稿でないと判断することができる。したがって、判定処理の高速化が可能となる。
【０１３１】
〈４−３．第３の変形例〉
上記の実施の形態においては、とばし色の指定をユーザから受け付ける構成（とばし色領域指定受付部１０２１）を備えることにより、ユーザが登録文書Ｋ中の任意の領域をとばし色領域Ｔとして指定可能な構成となっている。ところで、一般に、地紋の色は文字情報等を邪魔しないように高い輝度とされていることが多く、上記の実施の形態においてもそのような高輝度領域がとばし色として指定されることを想定した構成となっている。このため、とばし色領域のＹ領域の最小値が想定外に小さな値となる場合には、画像データ内の大部分の色が白にとばされてしまい、適正な複製物が生成されない可能性がある。そこで、とばし色領域のＹ領域の最小値が想定外に小さな値となる場合に、適正な複製物が生成されない可能性がある旨をユーザに対して警告する構成をさらに備えてもよい。
【０１３２】
例えば、とばし色領域Ｔ（すなわち、ユーザが指定し、とばし色領域指定受付部１０２１によって受け付けられたとばし色領域Ｔ）を構成する画素データ群のＹＣｂＣｒ色空間における分布領域を特定するとともに、そのＹ領域の最低値が所定値よりも小さい（すなわち、暗い）か否かを判断して、所定値よりも小さい場合には所定の警告メッセージ（例えば、「指定された色が暗すぎるので、白にとばすことができません。」もしくは、「指定された色が暗すぎますが、それより明るい部分を全て白にとばしてよろしいでしょうか？」とのメッセージ）を、表示部１５に表示させる構成をさらに備えてもよい。
【０１３３】
〈４−４．その他の変形例〉
上記の実施の形態においては、プレスキャンによって取得された多階調の画像データを用いて原稿が特殊原稿であるか否かの判定処理を行っているが（図７のステップＳ１１１参照）、必ずしもプレスキャンを実行する必要はない。例えば、画像形成に用いるデータとして取得されて、メモリに格納された多階調のＹＣｂＣｒ画像データを用いて判定処理を行ってもよい。
【０１３４】
また、上記の実施の形態においては、記録しない色を白色としているが、これは記録紙が白色であるとの前提にたったものである。したがって、例えば記録紙の色が白色でない場合等は、記録しない色を必ずしも白色とする必要はない。
【０１３５】
また、上記の実施の形態においては、ＹＣｂＣｒ色空間上で規定される画像データについて説明しているが、明るさ成分と色味成分とが分離された各種の表色系（例えば、Ｌ＊ａ＊ｂ＊表色系や、ＹＩＱ表色系、Ｌｕｖ表色系等）の画像データにも同様に適用することができる。
【０１３６】
また、上記の実施の形態において説明した、特殊原稿に対する処理の順序は、適宜変更することができる。例えば、平滑化処理、色とばし処理、エッジ強調処理、黒補正処理の順に行ってもよい。また、必ずしもこれら各処理のすべてを行う必要はない。
【０１３７】
また、上記の実施の形態において、制御部１１がプログラムを実行することにより実現されるとした各構成要素は、回路的（ハードウェア的）に実現されてもよい。
【図面の簡単な説明】
【０１３８】
【図１】この発明の実施の形態に係るデジタル複合機の構成を示すブロック図である。
【図２】特殊原稿の処理に関する機能構成を示すブロック図である。
【図３】特殊文書として登録される定型文書を例示する図である。
【図４】特殊原稿およびその複製物を例示する図である。
【図５】Ｙ成分補正処理に係る変換グラフを例示する図である。
【図６】ユーザから特殊文書情報の登録を受け付ける際の処理の流れを示す図である。
【図７】デジタル複合機において実行される画像形成処理のおおまかな流れを示す図である。
【図８】原稿が特殊文書に該当するか否かの判定処理の流れを示す図である。
【図９】特殊原稿に対する処理の流れを示す図である。
【図１０】特殊原稿の処理に関する機能構成を示すブロック図である。
【図１１】原稿が特殊原稿であるか否かの判定処理の流れを示す図である。
【符号の説明】
【０１３９】
１  デジタル複合機
１４  操作部
１５  表示部
１６  画像読取部
１７  画像処理部
１８  画像記録部
１０１  特殊文書識別情報取得部
１０２  とばし色情報取得部
１０３  原稿判定部
１０４  特殊原稿処理部
１０１１  サンプル領域指定受付部
１０１２  文書色分布情報取得部
１０２１  とばし色領域指定受付部
１０２２  色成分情報取得部
１０３１  原稿色分布情報取得部
１０３２  色分布比較部
１０４１  モノクロ変換部
１０４２  色とばし処理部
１０４３  黒補正処理部
Ｆ  特殊文書情報
Ｄ  特殊文書識別情報
ｄ１  サンプル領域情報
ｄ２  文書色分布情報
Ｃ  とばし色情報
Ｓ  サンプル領域
Ｔ  とばし色領域
【図１】
2008278282.tif 000003
【図２】
2008278282.tif 000004
【図３】
2008278282.tif 000005
【図４】
2008278282.tif 000006
【図５】
2008278282.tif 000007
【図６】
2008278282.tif 000008
【図７】
2008278282.tif 000009
【図８】
2008278282.tif 000010
【図９】
2008278282.tif 000011
【図１０】
2008278282.tif 000012
【図１１】
2008278282.tif 000013